(57)【要約】      （修正有）【課題】生ごみの収集から処理に至るまでを一貫しておこなう生ごみ収集処理回収装置を提供する。【解決手段】食事を終えた後、残った食材の皮や生ごみを流し台上のダストシュート２に投入する。ダストシュート２と輸送管路３の連結箇所に設置された破砕機により、先行して食材の皮や生ごみを破砕処理し、かつすすぎ装置４で破砕機が破砕した食材の皮や生ごみを水流で輸送管路３へ運ぶ。続いて輸送管路３により破砕処理後の食材の皮や生ごみを輸送管路３末端に設置された生ごみ収集装置６に送り込む。そのうち、生ごみ収集装置６には貯蔵チャンバと破砕脱水装置が設置されていて、生ごみを再度破砕してその中に含まれる水分を除去し、続いて発酵転化装置に貯蔵して、生ごみを発酵させて有機肥料に転化させる。【選択図】図１
0003157755.tif 000002
【実用新案登録請求の範囲】
【請求項１】
生ごみ収集処理回収装置であって、主に、
建物の各階に延伸して設置され、生ごみを投入するために用いる少なくとも１つのダストシュートと、
前記ダストシュート末端に連結され、各ダストシュートから投入された生ごみの輸送に用いる少なくとも１つの輸送管路と、
前記ダストシュートの一端に設置された少なくとも１つのすすぎ装置と、
前記輸送管路の末端に連結された生ごみ収集装置と、
前記生ごみ収集装置と連結して設置された油脂分離装置と、
を含み、そのうち、生ごみを各階のダストシュート内投入にした後、前記すすぎ装置が生ごみを前記輸送管路へ送り、最後に前記生ごみ収集装置と前記油脂分離装置に到達させて処理を行うことを特徴とする、
生ごみ収集処理回収装置。
【請求項２】
前記ダストシュートに破砕機が別途設置され、前記輸送管路での輸送に有利なように投入された生ごみを破砕することを特徴とする、請求項１に記載の生ごみ収集処理回収装置。
【請求項３】
前記すすぎ装置が手動式、自動センサー式、間歇式等としてもよく、すすぎの機能を達することができる装置であることを特徴とする、請求項１に記載の生ごみ収集処理回収装置。
【請求項４】
前記生ごみ収集装置が貯蔵チャンバ、破砕脱水装置、及び発酵転化装置を含むことを特徴とする、請求項１に記載の生ごみ収集処理回収装置。
【考案の詳細な説明】
【技術分野】
【０００１】
本考案は生ごみ収集処理回収装置に関し、特に生ごみを集中回収して処理する装置に関する。
【背景技術】
【０００２】
現在、生ごみは通常ディスポーザを使用して生ごみを砕き、水を加えて汚水下水道に放流し、廃棄物として処理しているが、油汚れも一緒に水管と下水道に流入するため、容易に詰まりや環境保護の問題を引き起こす。
より環境に配慮した方法としては、生ごみを特定の収集場所の収集容器に集めて保存し、堆肥にすると共に油と水を分離した後に排出する。但し、生ごみを運搬するとき、往々にして公共施設や公共空間を経由して環境上の汚染を引き起こしたり、或いは生ごみを収集容器中に収集してから時間が経ち過ぎると、発酵して悪臭や虫を発生し、周囲の環境を汚染したりすることがある。
また、生ごみ中の油汚れも大きな問題である。現在の油脂分離装置は大型の飲食店業者のみに用いられており、一般家庭の生ごみは油脂を分離せずに排出しているため、生活環境の汚染を引き起こしている。
このため、どのように簡便に生ごみを収集して利用し、油水分離処理をする技術が環境保護の観点から重要視されている。
【考案の概要】
【考案が解決しようとする課題】
【０００３】
本考案の主な目的は、生ごみを各階のダストシュート内に投入した後、すすぎ装置により生ごみを輸送管路へ送り込み、最後に生ごみ収集装置に到達して処理を行うことで、生ごみの収集と統一処理の目的を達することができる、生ごみ収集処理回収装置を提供することにある。
【０００４】
本考案の別の目的は、生ごみ収集装置がさらに大型油脂分離装置に連結され、該油脂分離装置で生ごみ収集装置が生ごみの処理中に発生する水分中の水と油を分離して油脂を回収し、水を汚水下水道に排出して環境保護の目的を達することができる、生ごみ収集処理回収装置を提供することにある。
【課題を解決するための手段】
【０００５】
本願の第１考案は、生ごみ収集処理回収装置であって、主に、建物の各階に延伸して設置され、生ごみを投入するために用いる少なくとも１つのダストシュートと、前記ダストシュート末端に連結され、各ダストシュートから投入された生ごみの輸送に用いる少なくとも１つの輸送管路と、前記ダストシュートの一端に設置された少なくとも１つのすすぎ装置と、前記輸送管路の末端に連結された生ごみ収集装置と、前記生ごみ収集装置と連結して設置された油脂分離装置とを含み、そのうち、生ごみを各階のダストシュート内投入にした後、前記すすぎ装置が生ごみを前記輸送管路へ送り、最後に前記生ごみ収集装置と前記油脂分離装置に到達させて処理を行うことを特徴とする、生ごみ収集処理回収装置を提供する。
本願の第２考案は、前記ダストシュートに破砕機が別途設置され、前記輸送管路での輸送に有利なように投入された生ごみを破砕することを特徴とする、前記第１考案の生ごみ収集処理回収装置を提供する。
本願の第３考案は、前記すすぎ装置が手動式、自動センサー式、間歇式等としてもよく、すすぎの機能を達することができる装置であることを特徴とする、前記第１考案の生ごみ収集処理回収装置を提供する。
本願の第４考案は、前記生ごみ収集装置が貯蔵チャンバ、破砕脱水装置、発酵転化装置を含むことを特徴とする、前記第１考案の生ごみ収集処理回収装置を提供する。
【考案の効果】
【０００６】
本考案は、生ごみを各階のダストシュート内に投入した後、すすぎ装置により生ごみを輸送管路へ送り込み、最後に生ごみ収集装置に到達して処理を行うことで、生ごみの収集と統一処理を達成することができる。
さらに、本考案は、生ごみ収集装置に大型油脂分離装置を連結すれば、油脂分離装置で以って生ごみ収集装置が生ごみの処理中に発生する水と油を分離して油脂を回収でるので、油の混入していない水を汚水下水道へ放出できて環境保護の目的を達成することができる。
【図面の簡単な説明】
【０００７】
【図１】本考案の立体外観図である。
【図２】本考案の部分概略図１である。
【図３】本考案の部分概略図２である。
【図４】本考案の最良の実施例図１である。
【図５】本考案の最良の実施例図２である。
【図６】本考案の最良の実施例図３である。
【図７】本考案の最良の実施例図４である。
【考案を実施するための形態】
【０００８】
図１、図２、図３に本考案の立体外観図と部分拡大図を示す。これらの図からはっきりと分かるように、生ごみ回收設備１は主に次を含む。
【０００９】
少なくとも１つのダストシュート２が各階に延伸して設置され、生ごみを投入するために用い、投入された生ごみを破砕する破砕機５が別途設置される。
【００１０】
輸送管路３が前記ダストシュート２の末端に連結され、各ダストシュート２から投入された生ごみの輸送に用いられる。
【００１１】
少なくとも１つのすすぎ装置４が前記ダストシュート２の一端に設置され、手動式、自動センサー式、間歇式等とすることができ、水ですすぐ機能を達成することができる。
【００１２】
生ごみ収集装置６が前記輸送管路３の末端に連結され、前記ダストシュート２から投入された生ごみを収集して処理し、主に貯蔵チャンバ６１、破砕脱水装置６２、発酵転化装置６３から構成される。
【００１３】
油脂分離装置７が前記生ごみ収集装置６に連結して設置される。
油脂分離装置７としては、例えば台湾詮揚公司の販売する２００Ｌ油脂分離装置、台湾前瞻科技公司の販売する８Ａ油脂分離装置、台湾大衛龍公司の販売する１Ｉ０３０１７油脂分離装置、または台湾百鵬環保公司の販売するＯＳ−００５〜ＯＳ−１００油脂分離装置を使用することができる。
上述した装置は単なる例示にすぎず、本考案は実際の必要に応じて処理容量及び操作、制御方式を選択することができる。
【００１４】
図４、図５、図６、図７に本考案の最良の実施例図を示す。
これらの図からはっきりと分かるように、食事を終えた後、残った食材の皮や生ごみを流し台上のダストシュート２に投入する。
ダストシュート２と輸送管路３の連結箇所に設置された破砕機５により、先行して食材の皮や生ごみを破砕処理し、かつすすぎ装置４で破砕機５が破砕した食材の皮や生ごみを水流で輸送管路３へ運ぶ。
続いて輸送管路３により破砕処理後の食材の皮や生ごみを輸送管路３末端に設置された生ごみ収集装置６に送り込む。
これにより破砕後の食材の皮や生ごみがすすぎ装置４の水流により輸送管路３に残留せず、輸送管路３を清潔に保つことができる。
そのうち、生ごみ収集装置６には貯蔵チャンバ６１と破砕脱水装置６２が設置されていて、生ごみを再度破砕してその中に含まれる水分を除去し、続いて発酵転化装置６３に貯蔵して、生ごみを発酵させて有機肥料に転化させる。
【００１５】
このほか、油脂分離装置７は主に生ごみ収集装置６中の破砕脱水装置６２と連結され、破砕脱水装置６２が生ごみを再度破砕してその中に含まれる水分を除去した後、油脂分離装置７により水分中の油と水を分離し、建物内の生ごみ処理を自動化し、環境保護の目的を達する。
【００１６】
以上は本考案の最良の実施例についての説明であり、本考案がこれらの記載に限定されることはなく、本考案の明細書及び図面の内容を運用した同等効果を持つ構造を直接または間接的にその他関連技術分野に運用したものはすべて、本考案に含まれるものである。
【符号の説明】
【００１７】
１        生ごみ回收設備
２        投入口
３        輸送管路
４        すすぎ装置
５        破砕機
６        生ごみ収集装置
６１      貯蔵チャンバ
６２      破砕脱水装置
６３      発酵転化装置
７        油脂分離装置
【図１】
0003157755.tif 000003
【図２】
0003157755.tif 000004
【図３】
0003157755.tif 000005
【図４】
0003157755.tif 000006
【図５】
0003157755.tif 000007
【図６】
0003157755.tif 000008
【図７】
0003157755.tif 000009
【手続補正書】
【提出日】平成21年12月16日(2009.12.16)
【手続補正１】
【補正対象書類名】実用新案登録請求の範囲
【補正対象項目名】請求項３
【補正方法】変更
【補正の内容】
【請求項３】
前記すすぎ装置が手動式、自動センサー式、間歇式としてもよく、すすぎの機能を達することができる装置であることを特徴とする、請求項１に記載の生ごみ収集処理回収装置。